【事件の表示】
　特願２０１３−　２９３２４「表示装置」拒絶査定不服審判事件〔平成２５年　７月１１日出願公開、特開２０１３−１３７５６２〕について、次のとおり審決する。
【結　論】
　本件審判の請求は、成り立たない。
【理　由】
第１　手続の経緯
　本件出願は，平成１６年２月９日に出願した特願２００４−３１５１８号の一部を平成２５年２月１８日に新たな特許出願としたものであって，その手続の経緯の概略は、以下のとおりである。
　平成２５年　３月　１日　　　上申書、手続補正書の提出
　平成２５年１２月　６日付け　拒絶理由の通知（同年同月１０日発送）
　平成２６年　２月　７日　　　意見書の提出
　平成２６年　７月　２日付け　拒絶理由の通知（同年同月８日発送）
　平成２６年１０月３１日付け　拒絶査定（同年１１月１１日送達）
　平成２７年　２月　６日　　　審判請求書の提出
　
第２　原査定の拒絶の理由
　原査定の拒絶の理由は、概略、各請求項に記載された発明は、いずれも、本件出願前に日本国内又は外国において頒布された刊行物である特開２００１−３５０５４９号公報（公開日：平成１３年１２月２１日、以下、「引用例」という。）に記載された発明であるから、特許法第２９条第１項第３号に該当し特許を受けることができず、又は、引用例に記載された発明に基づいて、本件出願前に当業者が容易に発明をすることができたものであるから、特許法第２９条第２項の規定により、特許を受けることができない、というものを含むものである。
　
第３　本願発明
　本件出願の特許請求の範囲の請求項１ないし３に係る発明は、平成２５年３月１日付け手続補正書の特許請求の範囲の請求項１ないし３に記載された事項により特定されるとおりのものと認められるところ、その請求項１に係る発明は次のとおりである。
　
「画像を表示する表示部と、
　前記表示部の前方を撮影可能に設けられた撮像部と、
　前記撮像部にて撮像された撮像画像に基づいて、人が前記表示部を見ているか否かを判別する視認状態判別部と、
　前記視認状態判別部により人が前記表示部を見ていると判別された場合には、前記表示部の輝度を第１の輝度に設定し、前記表示部に画像が表示されていない場合において、前記視認状態判別部により人が前記表示部を見ていないと判別されたときは、前記表示部の輝度を前記第１の輝度よりも低い第２の輝度に設定する出力制御部と、
　を有することを特徴とする表示装置。」（以下、「本願発明」という。）
　
第４　引用例の記載、引用発明
１　引用例の記載
　引用例（特開２００１−３５０５４９号公報）には、次の事項アないしオが図面とともに記載されている（なお、下線は当審が付した。）。
ア
「【０００１】
【発明に属する技術分野】本発明は、
少なくとも１つの表示画面を利用した情報処理装置
イ
「【００３６】図６に使用者の視線位置の検出フローを示す。通常の処理ではステップS601によって
カメラから映像データを取得し、
使用者の顔が映像データにあることを確認し、
使用者の瞳の中心が検出できることを確認し
視線位置の算出に入る
ウ
「【００３７】つぎに、上記の方法により
取得した使用者の視線位置により、省電力制御を行う
エ
「【００４０】次に図８を使用して表示装置81、82のマルチディスプレイ表示で使用していたとして、表示装置81に対して省電力制御するための方法を説明する。
使用者が表示装置81の省電力制御を行いたくない領域A3の範囲を、
設定する。
使用者の視線位置が領域A3の中にある間は、表示装置81の省電力制御が行われることはない。
使用者が表示装置81の電源あるいは液晶のバックライト電源を落としてもいい領域A4を、
設定する
使用者の視線位置が領域A3から外れて領域A4に収まっている間は、ＶＧＡコントローラ708を制御して表示装置81の輝度を落とす。そして、領域A4からも使用者の視線位置が外れた場合には、ＶＧＡコントローラ708を制御して表示装置81の電源あるいは液晶のバックライト電源を落とす。
【００４１】
これらの設定を表示装置82に対しても同様におこない、表示装置81の領域A3、領域A4と同じように行ったとして、図１１の領域A5、領域A6が設定される。これにより、使用者の視線位置が表示装置82の一点P9にあったとすると、表示装置81は視線が領域A3の範囲内、表示装置82は視線が領域A5の範囲内にあるため、どちらの表示装置も省電力制御は行われない。そして、使用者の視線が表示装置81の一点P10へ移動したとき、表示装置81は視線が領域A3の範囲内のままなので省電力制御は行われないが、表示装置82は視線が領域A6の範囲内にはあるが領域A5からは外れてしまったため、表示装置82の表示輝度を落とす。そして、使用者の視線が表示装置81の一点P11へ移動したとき、表示装置81は視線が領域A3の範囲内のままなので省電力制御は行われないままであるが、表示装置82は視線が領域A5の範囲内に戻るため、表示装置82の表示輝度をＣＭＯＳ―ＲＡＭ707等に格納されている使用者の設定値に戻す。そして、使用者の視線が表示装置81の左側の外一点P12へ移動したとき、表示装置81は視線が領域A4の範囲内にはあるが領域A3からは外れてしまったために、表示装置81の表示輝度を落とし、表示装置82は視線が領域A6からも外れるため表示装置82の電源あるいは液晶のバックライト電源を落とす。そして、使用者の視線が表示装置81の一点P13へ移動したとき、表示装置81は視線が領域A3の範囲内に戻るため、表示装置81の表示輝度をＣＭＯＳ―ＲＡＭ707等に格納されている使用者の設定値に戻し、表示装置82は視線が領域A5からは外れてしまったままであるが領域A6の範囲内に戻るため、表示装置82の電源あるいは液晶のバックライト電源をオンする。」
オ
「【００４３】
【発明の効果】本発明を用いると、
使用者が表示画面を見ているにもかかわらずタイマによって表示画面の電源がオフされてしまうということがなく
【００４４】また、タイマによる表示画面の電源オフを行わないよう設定した場合や頻繁に表示画面が省電力状態に移行するのを防止するためにタイマを長時間設定にした場合、
使用者が見ていない間に表示装置やシステムの省電力制御を行う
２　引用発明
　以上の記載をまとめると、引用例には次の発明が記載されているものと認められる。（なお、参考のため括弧内に段落番号を付記した。）
「（【００３６】）カメラから映像データを取得し、
使用者の顔が映像データにあることを確認し、
使用者の瞳の中心が検出できることを確認し、視線位置の算出に入り、
（【００３７】）取得した使用者の視線位置により、省電力制御を行う、
（【０００１】）少なくとも１つの表示画面を利用した情報処理装置であって、
（【００４０】）使用者が表示装置81の省電力制御を行いたくない領域A3の範囲を設定し、使用者の視線位置が領域A3の中にある間は、表示装置81の省電力制御が行われることはなく、
使用者が表示装置81の電源あるいは液晶のバックライト電源を落としてもいい領域A4を設定し、使用者の視線位置が領域A3から外れて領域A4に収まっている間は、ＶＧＡコントローラ708を制御して表示装置81の輝度を落とし、
そして、領域A4からも使用者の視線位置が外れた場合には、ＶＧＡコントローラ708を制御して表示装置81の電源あるいは液晶のバックライト電源を落とし、
（【００４１】）これらの設定を表示装置82に対しても同様におこない、表示装置81の領域A3、領域A4と同じように行ったとして、図１１の領域A5、領域A6が設定され、これにより、使用者の視線位置が表示装置82の一点P9にあったとすると、表示装置81は視線が領域A3の範囲内、表示装置82は視線が領域A5の範囲内にあるため、どちらの表示装置も省電力制御は行われず、そして、使用者の視線が表示装置81の一点P10へ移動したとき、表示装置81は視線が領域A3の範囲内のままなので省電力制御は行われないが、表示装置82は視線が領域A6の範囲内にはあるが領域A5からは外れてしまったため、表示装置82の表示輝度を落とし、そして、使用者の視線が表示装置81の一点P11へ移動したとき、表示装置81は視線が領域A3の範囲内のままなので省電力制御は行われないままであるが、表示装置82は視線が領域A5の範囲内に戻るため、表示装置82の表示輝度をＣＭＯＳ―ＲＡＭ707等に格納されている使用者の設定値に戻し、そして、使用者の視線が表示装置81の左側の外一点P12へ移動したとき、表示装置81は視線が領域A4の範囲内にはあるが領域A3からは外れてしまったために、表示装置81の表示輝度を落とし、表示装置82は視線が領域A6からも外れるため表示装置82の電源あるいは液晶のバックライト電源を落とし、そして、使用者の視線が表示装置81の一点P13へ移動したとき、表示装置81は視線が領域A3の範囲内に戻るため、表示装置81の表示輝度をＣＭＯＳ―ＲＡＭ707等に格納されている使用者の設定値に戻し、表示装置82は視線が領域A5からは外れてしまったままであるが領域A6の範囲内に戻るため、表示装置82の電源あるいは液晶のバックライト電源をオンし、
（【００４３】）使用者が表示画面を見ているにもかかわらずタイマによって表示画面の電源がオフされてしまうということがなく、
（【００４４】）使用者が見ていない間に表示装置やシステムの省電力制御を行う、
（【０００１】）情報処理装置。」（以下、「引用発明」という。）
第５　対比
１　本願発明と引用発明とを、主たる構成要件ごとに順次対比する。
ア
　引用発明の「表示装置」は、画像を表示するものであるから、本願発明の「画像を表示する表示部」に相当する。
　引用発明において、「カメラから映像データを取得し、使用者の顔が映像データにあることを確認し」ており、「表示画面を利用した情報処理装置」の使用者は、表示画面を見る位置、つまり表示装置の前方にいることは明らかであるから、使用者の顔の映像データを取得するカメラは、表示装置の前方を撮影可能に設けられているといえる。よって、引用発明の「カメラ」は、本願発明の「前記表示部の前方を撮影可能に設けられた撮像部」に相当する。
イ
　引用発明において、「カメラから映像データを取得し、使用者の顔が映像データにあることを確認し、使用者の瞳の中心が検出できることを確認し、視線位置の算出に入り、取得した使用者の視線位置により、省電力制御を行う」ことから、引用発明は、カメラから映像データを取得し使用者の視線位置の算出をするものである。
　そして、引用発明は、「使用者が表示装置81の省電力制御を行いたくない領域A3の範囲を設定し、使用者の視線位置が領域A3の中にある間は、表示装置81の省電力制御が行われることはなく、使用者が表示装置81の電源あるいは液晶のバックライト電源を落としてもいい領域A4を設定し、使用者の視線位置が領域A3から外れて領域A4に収まっている間は、ＶＧＡコントローラ708を制御して表示装置81の輝度を落とし、そして、領域A4からも使用者の視線位置が外れた場合には、ＶＧＡコントローラ708を制御して表示装置81の電源あるいは液晶のバックライト電源を落とし」ており、「使用者が表示画面を見ているにもかかわらずタイマによって表示画面の電源がオフされてしまうということがなく、使用者が見ていない間に表示装置やシステムの省電力制御を行う」ものであるから、引用発明は、使用者の視線位置が表示装置81の省電力制御を行いたくない領域A3の中にあるか（つまり、使用者が表示画面を見ている状態か）、使用者の視線位置が領域A3から外れているか（つまり、表示画面を見ていない状態か）を判別しているものである。
　よって、カメラから映像データを取得し使用者の視線位置の算出をし、使用者の視線位置が表示画面を見ている状態か否か判別している引用発明は、本願発明の「前記撮像部にて撮像された撮像画像に基づいて、人が前記表示部を見ているか否かを判別する視認状態判別部」に相当するものを有しているといえる。
ウ
　引用発明は、使用者の視線位置が、「領域A3の中」、「領域A3から外れて領域A4に収まっている間」、「領域A4からも」「外れた場合」によって、つまり表示画面を見ている状態、視線位置が表示装置の周辺にあって表示画面を見ていない状態、視線位置が表示装置周辺にもなく表示画面を見ていない状態に応じて、それぞれ「表示装置の省電力制御が行われない」、「表示装置の輝度を落とす」、「表示装置の電源あるいは液晶のバックライト電源を落とす」という制御をＶＧＡコントローラが行っているものである。
　ここで、本願発明の、使用者の視線位置が「領域A3の中」、つまり表示画面を見ている状態において、「表示装置の省電力制御が行われない」制御をすることは、本願発明の「前記視認状態判別部により人が前記表示部を見ていると判別された場合には、前記表示部の輝度を第１の輝度に設定し」ていることに相当しているといえる。
エ
「表示装置81」と同様の設定を行う「表示装置82」に着目すると、「使用者の視線が表示装置81の左側の外一点P12へ移動したとき、・・・表示装置82は視線が領域A6からも外れるため表示装置82の電源あるいは液晶のバックライト電源を落とし、そして、使用者の視線が表示装置81の一点P13へ移動したとき、・・・表示装置82は視線が領域A5からは外れてしまったままであるが領域A6の範囲内に戻るため、表示装置82の電源あるいは液晶のバックライト電源をオンする」が、ここで、電源がオンの状態では、「表示装置82は視線が領域A6の範囲内にはあるが領域A5からは外れてしまったため、表示装置82の表示輝度を落と」す制御をすることになる。
　してみると、引用発明は、視線が領域A6からも外れ、表示装置82の電源あるいは液晶のバックライト電源を落とした状態から、視線が領域A5からは外れてしまったままであるが領域A6の範囲内に戻ると、表示装置82の表示輝度を落とした状態にしている、つまり、表示装置ｏｆｆ状態から、視線位置が表示装置の周辺にあって表示画面を見ていない状態になると、表示輝度を落とした制御をするものである。
　そして、「省電力制御が行われない」状態と「表示輝度を落とした」状態とでは、「表示輝度を落とした」状態の方が、輝度が低いことは明らかであるから、引用発明の、表示装置ｏｆｆ状態から、視線位置が表示装置の周辺にあって表示画面を見ていない状態になると、表示輝度を落とした制御をすることは、本願発明の「前記表示部に画像が表示されていない場合において、前記視認状態判別部により人が前記表示部を見ていないと判別されたときは、前記表示部の輝度を前記第１の輝度よりも低い第２の輝度に設定」をしていることに相当しているといえる。
　以上のことから、引用発明の、使用者の視線位置に応じて、それぞれ「表示装置の省電力制御が行われない」、「表示装置の輝度を落とす」、「表示装置の電源あるいは液晶のバックライト電源を落とす」という制御をする「ＶＧＡコントローラ」は、本願発明の「前記視認状態判別部により人が前記表示部を見ていると判別された場合には、前記表示部の輝度を第１の輝度に設定し、前記表示部に画像が表示されていない場合において、前記視認状態判別部により人が前記表示部を見ていないと判別されたときは、前記表示部の輝度を前記第１の輝度よりも低い第２の輝度に設定する出力制御部」に相当する。
第６　判断
　以上の相当関係から、本願発明と引用発明とは、
「画像を表示する表示部と、
　前記表示部の前方を撮影可能に設けられた撮像部と、
　前記撮像部にて撮像された撮像画像に基づいて、人が前記表示部を見ているか否かを判別する視認状態判別部と、
　前記視認状態判別部により人が前記表示部を見ていると判別された場合には、前記表示部の輝度を第１の輝度に設定し、前記表示部に画像が表示されていない場合において、前記視認状態判別部により人が前記表示部を見ていないと判別されたときは、前記表示部の輝度を前記第１の輝度よりも低い第２の輝度に設定する出力制御部と、
　を有することを特徴とする表示装置。」
で一致する。
　一方で、本願発明と引用発明とに相違点はない。
　よって、本願発明は、本件出願前に頒布された刊行物である引用例に記載された発明（引用発明）である。
　又は、本願発明と引用発明とに相違点があるとしても、本願発明は、引用例に記載された発明に基づいて、当業者が容易に発明をすることができたものである
第７　まとめ
　以上のとおり、本願発明は、引用例に記載された発明であるから、特許法第２９条第１項第３号に該当し特許を受けることができず、又は、本願発明は、引用発明に基づいて、当業者が容易に発明をすることができたものであるから、特許法第２９条第２項の規定により特許を受けることができない。
　したがって、他の請求項に係る発明について審理するまでもなく、本願は拒絶すべきものである。
　よって、結論のとおり審決する。